(57)【特許請求の範囲】
【請求項１】
プールの一部に昇降可能な可動床を備えたプールにおいて、可動床を上昇させたときにできる可動床とプール底等との間の隙間から可動床下へ人や物が入り込むのを防止するために可動床に着脱可能に取着され、上記隙間を遮断する遮断壁であって、遮断壁が並設される脚部を有し、該脚部が可動床に抜き差し、かつスライド可能に差し込まれて可動床を貫通し、その下端がプール底等に着床して支持されることを特徴とするプールの可動床用遮断壁。
【請求項２】
可動床又は遮断壁に手摺りを設けたことを特徴とする請求項１記載のプールの可動床用遮断壁。
【請求項３】
遮断壁が可動床を上昇させたときでも可動床より突出するような高さに形成されることを特徴とする請求項１記載のプールの可動床用遮断壁。
【発明の詳細な説明】
【０００１】
【発明が属する技術分野】
本発明は、プールの一部に昇降可能な可動床を備えたプールにおいて、可動床をプール底など可動床以外の床面（以下、「プール底等」という）より上昇させたときに可動床とプール底等との間の隙間から可動床下に人や物が入り込むのを防止するために可動床に設けられ、上記隙間を遮断する遮断壁に関する。
【０００２】
【従来技術】
この種の遮断壁として特開平１１−１１７５５９号には、遮断壁を可動床より垂下する第１の壁板と、鉛直方向の蟻溝や筒状体よりなるガイド部により第１の壁板に昇降可能に支持される第２の壁板とよりなり、可動床を降下させるときには先ず、第２の壁板下端がプール底に凹設した収納部底に当たり、ついで第１の壁板がガイド部に案内されて降下し、第２の壁板に重なって収納部に格納されるようになっており、格納状態より可動床を上昇させると、第１の壁板がガイド部に沿って上昇し、ついで第２の壁板が第１の壁板に支持されて上昇するようにした遮断壁が提案されている。
【０００３】
【発明が解決しようとする課題】
上述する遮断壁によると、遮断壁を折りたゝんで、その丈を短くできるようにしたことにより可動床を降下させたときに遮断壁を収納するための収納部の深さを浅くすることができ、そのため収納部の存在によって生ずるデッドスペースを小さく抑えて、この種のプールの製造コストを低減させることができるが、第１及び第２の壁板と、第２の壁板を第１の壁板に昇降可能に支持するためのガイド部が必要で、全体の構造が複雑であること、可動床の昇降時、ガイド部でこじれて可動床のスムーズな昇降が行えなくなるおそれがあること等の難点があった。
【０００４】
本発明は、収納部の存在によって生ずるデッドスペースを小さく抑えることができるようにすると共に、構造が簡単で、かつ可動床の昇降がスムーズに行えるようなプールの可動床用遮断壁を提供することを目的とする。
【０００５】
【課題の解決手段】
請求項１に係わる発明は、プールの一部に昇降可能な可動床を備えたプールにおいて、可動床を上昇させたときにできる可動床とプール底等との間の隙間から可動床下へ人や物が入り込むのを防止するために可動床に設けられ、上記隙間を遮断する遮断壁であって、遮断壁が並設される脚部を有し、該脚部が可動床に抜き差し、かつスライド可能に差し込まれて可動床を貫通し、その下端がプール底等に着床して支持されることを特徴とする。
【０００６】
本発明によると、可動床を上昇させてプール底等との間に隙間ができるときには、遮断壁を可動床に取付けて上記隙間を遮断する一方、可動床を降下させてプール底等との間の隙間がなくなるか、或いは隙間があっても該隙間を遮断する必要がないときには遮断壁が取外される。これにより遮断壁を収納するための収納部が不要にでき、また遮断壁は可動部がないため構造が簡単で、可動床のスムーズな昇降を妨げるおそれがないうえ、可動床を深さ方向に位置調整し、プール底等との間の隙間が変化しても、同じ遮断壁で隙間を遮断することができる。この場合、可動床を上昇位置より降下させると、遮断壁が可動床より突出するようになるが、可動床とプール底等との間にできる段差のガードとしての機能を果たすようになる。
【０００７】
本発明で用いる遮断壁は、人や物が入り込めないものであればどのようなものでもよい。こうしたものとしては、例えば板状のもの、格子ないし柵状のもの、網状のもの、パンチングメタルなどを例示することができる。本発明の遮断壁はまた、既設のプールの可動床にも単に差込孔を形成するだけで簡単に取り付けることができる。
【０００８】
請求項２に係わる発明は、請求項１に係わる発明において、可動床又は遮断壁に手摺りを設けたことを特徴とする。本発明によると、手摺りがガードとしての機能と、プールを可動床で仕切る機能を果たすようになる。
【０００９】
請求項３に係わる発明は、請求項１に係わる発明において、遮断壁が可動床を上昇させたときでも可動床より突出するような高さに形成されることを特徴とする。本発明によると、遮断壁が上述する手摺りと同じ機能を果たし、手摺りを不要にできる。
【００１０】
【発明の実施の形態】
図１に示す遮断壁１は、板状、格子状、柵状或いは網状をなして紙面と直交する方向に適当間隔で鉤状の差込部２を有し、該差込部２を可動床３の側縁に形成される差込孔４に差し込むことにより、可動床３に支持されて垂下し、ゴム張りのベース８をプール底５に着床させてプール底５との間の隙間６を遮断できるようになっている。図中、７は可動床３に着脱可能に取付けられる手摺りである。なお、可動床３は図示しない既知の昇降機構により、昇降可能に支持されている。
【００１１】
本実施形態の遮断壁１によると、可動床３を図示するように上昇させたときに差込部２を差込孔４に差し込んで遮断壁１を可動床３に取付け、ベース８をプール底５に着床させて、プール底５との間の隙間６を遮断する一方、可動床３を降下させるときには差込部２を差込孔４より上方に引き抜いて遮断壁１を取り外す。
【００１２】
この遮断壁によると、以上のように、遮断壁１は差込部２を有するだけであり、可動部分がないから構造が簡単で、可動床３を昇降させるときには、遮断壁１が取り外されるから可動床３のスムーズな昇降が妨げられることがない。しかもプール底５に形成される収納部９は、可動床３を収納できるスペースがあればよく、遮断壁１を収納するスペースが必要でないため、収納部９の深さを浅くし、収納部の存在によって生ずるデッドスペースを小さくしてプールの製造コストを低減させることができる。なお、収納部９は可動床３を降下して収納したとき、可動床３がプール底５と面一をなすようにするために設けられるが、可動床３とプール底５との間に段差ができても差し支えなければ、収納部９をなくすこともできる。
【００１３】
また手摺り７を設けたことにより可動床３の境界を仕切り、可動床３からプール底５にいきなり深みに嵌まり込むのを防ぐことができる。図２に示す遮断壁１１は、並設される脚部１２を有し、該脚部１２を可動床３の差込孔４に差し込んで、その下端に捩込んだ脚１３を収納部１４底に着床させることにより支持され、図示しない昇降機構により可動床３が脚部１２に沿って昇降できるようになっている。
【００１４】
本実施形態の遮断壁１１によると、可動床３の深さを調整し、プール底１５との間の隙間が変化しても、それに応じたサイズの遮断壁１１に取り換える必要がない。また脚部１２の足１３への捩込み量を変えることにより収納部１４の深さに応じた長さ調整を行うことができる。なお、可動床３を図示するように上昇させたとき、可動床３より突出する遮断壁１１や脚部１２の高さを手摺り７と同じ高さとなるようにしておけば、この突出部分が手摺り７と同様、ガードとしての機能を果たしうるようになり、手摺り７を不要にできる。
【００１５】
【発明の効果】
請求項１にかかわる発明によると、可動床を降下させるときには遮断壁を取り外せるため、遮断壁を収納するための収納部を不要にでき、そのため収納部の存在によって生ずるデッドスペースをなくすことができて、可動床を備えたプールの製造コストを低減させることができること、遮断壁は可動部がないから構造が簡単で、遮断壁を設けたことにより可動床のスムーズな昇降が損なわれることがないこと、可動床を降下させるときには遮断壁を取り外すことができるため、遮断壁を収納するための収納部をなくしてデッドスペースをなくし、可動床を備えたプールの製造コストを低減させることができること、遮断壁は並設される脚部を有するだけで、構造が簡単であり、可動床を深さ方向に位置調整することによりプール底等との隙間が変化しても隙間の程度の如何に係わらず、該隙間を遮断することができること等の効果を奏する。
【００１６】
請求項２に係わる発明によると、可動床とプール底との間に段差があっても手摺りでガードされ、可動床からプール底へいきなり深みに嵌まり込むのを防ぐことができ、また手摺りにより可動床が存在するエリアと、その他のエリアの境を認識することが容易にできる。
請求項３に係わる発明によると、遮断壁が上記手摺りの機能をも果たすことができるようになる。
【図面の簡単な説明】
【図１】本発明に係わる遮断壁の一態様を示す図。
【図２】遮断壁の別の態様を示す図。
【符号の説明】
１、１１・・遮断壁
２・・差込部
３・・可動床
４・・差込孔
５、１５・・プール底
６・・隙間
７・・手摺り
８・・ベース
９、１４・・収納部
１２・・脚部
１３・・足
【図１】
0003747176.tif 000002
【図２】
0003747176.tif 000003